(57)【特許請求の範囲】
【請求項１】
マネージャー個体にイベントを表示するためのイネーブラー個体による方法であって、
前記イネーブラー個体が、前記イネーブラー個体によりサーブされる機器から、特定機器が前記機器により検出されたことを前記イネーブラー個体に通知する第１イベント表示メッセージを受信するステップと、
前記特定機器が前記イネーブラー個体によりサーブされる前記機器により検出されたことを前記マネージャー個体に通知する第２イベント表示メッセージを、前記イネーブラー個体から前記マネージャー個体に送信するステップと、を有し、
前記イネーブラー個体は、前記機器と前記マネージャー個体との間の通信を有効にし、前記マネージャー個体は、前記イネーブラー個体を含む複数のイネーブラー個体間の共存を要求する情報を交換し、
前記第２イベント表示メッセージはタイプ情報を有し、該タイプ情報は、前記第２イベント表示メッセージが、前記特定機器が前記機器により検出されたことを示すものであることを示し、前記特定機器は、前記特定機器に許可されていない周波数上で動作していることを特徴とする、イベント表示方法。
【請求項２】
前記第２イベント表示メッセージは、前記特定機器の識別情報、及び前記特定機器が動作するチャネル番号を更に有する、請求項１に記載のイベント表示方法。
【請求項３】
前記イネーブラー個体は共存イネーブラーを有し、前記マネージャー個体は共存マネージャーを有する、請求項１に記載のイベント表示方法。
【請求項４】
前記機器及び前記特定機器はＴＶ帯域機器を有する、請求項１に記載のイベント表示方法。
【請求項５】
前記第２イベント表示メッセージは、前記イネーブラー個体の識別子を示すソース識別子、及び前記マネージャー個体の識別子を示す目的地識別子を更に有する、請求項１に記載のイベント表示方法。
【請求項６】
マネージャー個体にイベントを表示するイネーブラー個体であって、
前記イネーブラー個体によりサーブされる機器から、特定機器が前記機器により検出されたことを前記イネーブラー個体に通知する第１イベント表示メッセージを受信するよう構成される無線周波数ユニットと、
前記特定機器が前記イネーブラー個体によりサーブされる前記機器により検出されたことを前記マネージャー個体に通知する第２イベント表示メッセージを生成するよう構成されるプロセッサと、を有し、
前記無線周波数ユニットは、前記マネージャー個体に前記第２イベント表示メッセージを送信し、
前記イネーブラー個体は、前記機器と前記マネージャー個体との間の通信を有効にし、前記マネージャー個体は、前記イネーブラー個体を含む複数のイネーブラー個体間の共存を要求する情報を交換し、
前記第２イベント表示メッセージはタイプ情報を有し、該タイプ情報は、前記第２イベント表示メッセージが、前記特定機器が前記機器により検出されたことを示すものであることを示し、前記特定機器は、前記特定機器に許可されていない周波数上で動作していることを特徴とする、イネーブラー個体。
【請求項７】
前記第２イベント表示メッセージは、前記特定機器の識別情報、及び前記特定機器が動作するチャネル番号を更に有する、請求項６に記載のイネーブラー個体。
【請求項８】
前記イネーブラー個体は共存イネーブラーを有し、前記マネージャー個体は共存マネージャーを有する、請求項６に記載のイネーブラー個体。
【請求項９】
前記機器及び前記特定機器はＴＶ帯域機器を有する、請求項６に記載のイネーブラー個体。
【請求項１０】
前記第２イベント表示メッセージは、前記イネーブラー個体の識別子を示すソース識別子、及び前記マネージャー個体の識別子を示す目的地識別子を更に有する、請求項６に記載のイネーブラー個体。
【発明の詳細な説明】
【技術分野】
【０００１】
本発明は、無線ＬＡＮシステムに関し、特に、無線ＬＡＮシステムで不法な機器を非活性化させる方法及び装置に関する。
【背景技術】
【０００２】
無線ＬＡＮ（ｗｉｒｅｌｅｓｓ  ｌｏｃａｌ  ａｒｅａ  ｎｅｔｗｏｒｋ、ＷＬＡＮ）技術の標準は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準として開発されている。ＩＥＥＥ ８０２．１１ａ及びｂは、２．４ＧＨｚまたは５ＧＨｚで非免許帯域（ｕｎｌｉｃｅｎｓｅｄ  ｂａｎｄ）を用い、ＩＥＥＥ ８０２．１１ｂは１１Ｍｂｐｓの転送速度を提供し、ＩＥＥＥ ８０２．１１ａは５４Ｍｂｐｓの転送速度を提供する。ＩＥＥＥ ８０２．１１ｇは、２．４ＧＨｚで直交周波数分割多重化（Ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）を適用して５４Ｍｂｐｓの転送速度を提供する。ＩＥＥＥ ８０２．１１ｎは、多重入出力ＯＦＤＭ（ｍｕｌｔｉｐｌｅ  ｉｎｐｕｔ  ｍｕｌｔｉｐｌｅ  ｏｕｔｐｕｔ−ＯＦＤＭ、ＭＩＭＯ−ＯＦＤＭ）を適用することで、４個の空間的なストリーム（ｓｐａｔｉａｌ  ｓｔｒｅａｍ）に対して３００Ｍｂｐｓの転送速度を提供する。ＩＥＥＥ ８０２．１１ｎではチャネル帯域幅（ｃｈａｎｎｅｌ  ｂａｎｄｗｉｄｔｈ）を４０ＭＨｚまで支援し、この場合には６００Ｍｂｐｓの転送速度を提供する。
【０００３】
現在、ＴＶホワイトスペース（ＴＶ  ｗｈｉｔｅ  ｓｐａｃｅ、ＴＶＷＳ）帯域で非免許機器（ｕｎｌｉｃｅｎｓｅｄ  ｄｅｖｉｃｅ）の動作を規定するためのＩＥＥＥ ８０２．１１ａｆ標準が開発されている。
【０００４】
ＴＶＷＳは、ブロードキャスト（ｂｒｏａｄｃａｓｔ）ＴＶに割り当てられた周波数としてＵＨＦ（Ｕｌｔｒａ  Ｈｉｇｈ  Ｆｒｅｑｕｅｎｃｙ）帯域及びＶＨＦ（ｖｅｒｙ  ｈｉｇｈ  ｆｒｅｑｕｅｎｃｙ）帯域を含み、当該周波数帯域で動作する免許機器（ｌｉｃｅｎｓｅｄ  ｄｅｖｉｃｅ）の通信を阻害しないという条件下で非免許機器の使用が許可されている周波数帯域のことを意味する。免許機器としては、ＴＶ、無線マイクなどを用いることができる。免許機器を、在任中のユーザー（ｉｎｃｕｍｂｅｎｔ  ｕｓｅｒ）またはプライマリユーザー（ｐｒｉｍａｒｙ  ｕｓｅｒ）と呼ぶこともできる。
【０００５】
５１２〜６０８ＭＨｚ、６１４〜６９８ＭＨｚでは、特殊ないくつかの場合以外は、全ての非免許機器の動作が許容されるが、５４〜６０ＭＨｚ、７６〜８８ＭＨｚ、１７４〜２１６ＭＨｚ、４７０〜５１２ＭＨｚ帯域では、固定された機器（ｆｉｘｅｄ  ｄｅｖｉｃｅ）間の通信のみが許容される。固定された機器とは、定められた位置でのみ信号の転送を行う機器を指す。ＩＥＥＥ ８０２．１１ ＴＶＷＳ端末は、ＴＶＷＳスペクトラム（ｓｐｅｃｔｒｕｍ）においてＩＥＥＥ ８０２．１１ ＭＡＣ（ｍｅｄｉａ  ａｃｃｅｓｓ  ｃｏｎｔｒｏｌ）及び物理層（ｐｈｙｓｉｃａｌ  ｌａｙｅｒ、ＰＨＹ）を用いて動作する非免許機器を指す。
【０００６】
ＴＶＷＳを使用したい非免許機器は、免許機器に対する保護機能を提供しなければならない。そのため、非免許機器は、ＴＶＷＳで信号の転送を始める前に、必ず、免許機器が当該帯域を占有しているか否かを確認しなければならない。
【０００７】
そのために、非免許機器は、インターネットあるいは専用網を通じて地理的位置データベース（ｇｅｏ−ｌｏｃａｔｉｏｎ  ｄａｔａｂａｓｅ）に接続して、該当の地域で使用可能なチャネルリスト情報を得なければならない。地理的位置データベースは、登録された免許機器の情報とそれら免許機器の地理的位置、及びチャネル使用時間によって動的に変化するチャネル使用情報を保存し管理するデータベースである。
【０００８】
または、非免許機器はスペクトラムセンシング（ｓｐｅｃｔｒｕｍ  ｓｅｎｓｉｎｇ）を行うことで、該当の帯域が免許機器により使用されているか否かを確認することができる。スペクトラムセンシングメカニズム（ｍｅｃｈａｎｉｓｍ）には、エネルギー検出（Ｅｎｅｒｇｙ  Ｄｅｔｅｃｔｉｏｎ）方式、フィーチャ検出（Ｆｅａｔｕｒｅ  Ｄｅｔｅｃｔｉｏｎ）方式などがある。非免許機器は、特定チャネルから受信した信号の強度が一定値以上であるか、またはＤＴＶプリアンブル（Ｐｒｅａｍｂｌｅ）が検出されると、免許機器が特定チャネルを使用中であると判断することができる。そして、現在使用中のチャネルと隣接しているチャネルを免許機器が使用中であると判断されると、非免許機器は転送電力を低くしなければならない。
【０００９】
しかるに、規約に従わずに、使用不可のチャネルで動作を試みたり、使用不可のチャネル上で動作している非免許機器がありうる。そこで、このような不正機器を検出して非活性化させる方法が必要である。
【発明の概要】
【発明が解決しようとする課題】
【００１０】
上述したように、ホワイトスペース（例えば、ＴＶＷＳ）を使用したい非免許機器は、免許機器に対する保護機能を提供しなければならず、不正機器を検出して非活性化させる方法が必要である。
【００１１】
本発明の目的は、ホワイトスペースにおいて免許機器の保護のために不正機器を検出して非活性化させる方法及び装置を提供することにある。
本発明で達成しようとする技術的課題は、以上に言及した技術的課題に制限されず、言及していない他の技術的課題は、下の記載から、本発明の属する技術の分野における通常の知識を有する者には明確に理解されるであろう。
【課題を解決するための手段】
【００１２】
上記課題を達成するために、本発明の一様相に係る無線ＬＡＮシステムにおいてＴＶホワイトスペース（ＴＶ  Ｗｈｉｔｅ  Ｓｐａｃｅ、ＴＶＷＳ）帯域で免許機器（ｌｉｃｅｎｓｅｄ  ｄｅｖｉｃｅ）により使用されていない可用チャネル内で動作が許容された非免許機器（ｕｎｌｉｃｅｎｓｅｄ  ｄｅｖｉｃｅ）として動作する第１ステーション（ｓｔａｔｉｏｎ、ＳＴＡ）が不正機器を検出する方法において、前記第１ステーションは、前記第１ステーションの活性化ステーション（ｅｎａｂｌｉｎｇ  ｓｔａｔｉｏｎ）から第１可用チャネルリスト（ａｖａｉｌａｂｌｅ  ｃｈａｎｎｅｌ  ｌｉｓｔ）を受信し、第２ステーションから活性化信号（ｅｎａｂｌｉｎｇ  ｓｉｇｎａｌ）を受信し、前記第１ステーションが、前記活性化信号及び前記第１可用チャネルリストを用いて、前記第２ステーションが不正機器であるか否かを判断する。ここで、前記第１ステーションは依存的ステーションでよく、前記第２ステーションは、前記依存的ステーションを制御する活性化ステーションでよい。
【００１３】
前記判断において、前記第１ステーションは、前記活性化信号が検出されたチャネルが前記第１可用チャネルリストに含まれていないと、前記第２ステーションを不正機器と判断することができる。
【００１４】
また、前記第１ステーションは、前記活性化ステーションから前記第１可用チャネルリストが適用される機器タイプ（ｄｅｖｉｃｅ  ｔｙｐｅ）に関する情報を受信し、前記活性化信号は、前記第２ステーションの機器タイプに関する情報を含み、前記第１ステーションは、前記第１可用チャネルリストが適用される機器タイプ及び前記第２ステーションの機器タイプを考慮して、前記第２ステーションが不正機器であるか否かを判断することができる。
【００１５】
また、前記第１ステーションは、第３ステーションから第２可用チャネルリストを受信し、前記第２可用チャネルリストが前記第１可用チャネルリストと異なると、前記第３ステーションを不正機器と判断することができる。
【００１６】
また、前記第１ステーションは、前記活性化ステーションから、前記活性化ステーションが前記第１ステーションにモニタリングすることを要請するモニタリング対象チャネルを含む要請フレームを受信し、前記モニタリング対象チャネルをモニタリングして前記活性化信号を受信することができる。
【００１７】
また、前記要請フレームは、前記活性化ステーションが前記第１ステーションにモニタリングすることを要請する時間区間をさらに含み、前記第１ステーションは、前記時間区間の間にモニタリングを行って前記活性化信号を受信することができる。
【００１８】
また、前記第２ステーションが不正機器であると、前記第１ステーションは、前記第２ステーションのアドレス及び前記活性化信号が検出されたチャネルを含む報告フレームを、前記活性化ステーションに転送することができる。
【００１９】
また、前記第１ステーションは、前記第２ステーションの活性化ステーションのアドレスを受信し、前記報告フレームは、前記第２ステーションの活性化ステーションのアドレスをさらに含むことができる。
【００２０】
上記課題を達成するために、本発明の他の様相に係る無線ＬＡＮシステムの第１ステーション（ｓｔａｔｉｏｎ、ＳＴＡ）で不正機器を非活性化させる方法において、前記第１ステーションは、第２ステーションに第１可用チャネルリスト（ａｖａｉｌａｂｌｅ  ｃｈａｎｎｅｌ  ｌｉｓｔ）を転送し、前記第２ステーションから、不正機器と判断された第３ステーションのアドレスを含む第１報告フレームを受信し、前記第１報告フレームの前記第３ステーションは、前記第２ステーションが前記第３ステーションから受信した活性化信号（ｅｎａｂｌｉｎｇ  ｓｉｇｎａｌ）及び前記第１可用チャネルリストを用いて不正機器と判断する。ここで、前記第１ステーションは活性化ステーションでよく、前記第２ステーションは、前記活性化ステーションにより制御される依存的ステーションでよい。
【００２１】
ここで、前記第１報告フレームは、前記第３ステーションの活性化ステーションのアドレスをさらに含むことができる。
【００２２】
また、前記第３ステーションの活性化ステーションが第１ステーションと同一であると、前記第１ステーションは前記第３ステーションに非活性化される旨を指示するための非活性化フレーム（ｄｅｅｎａｂｌｅｍｅｎｔ  ｆｒａｍｅ）を転送することができる。
【００２３】
また、前記第３ステーションは、前記非活性化フレームを受信すると非活性常態（ｕｎｅｎａｂｌｅｄ  ｓｔａｔｅ）に切り替わることができる。
【００２４】
また、前記第３ステーションの活性化ステーションが第１ステーションと異なると、前記第１ステーションは、共存マネージャー（Ｃｏｅｘｉｓｔｅｎｃｅ  Ｍａｎａｇｅｒ、ＣＭ）に前記第３ステーションのアドレス及び前記第３ステーションの活性化ステーションのアドレスを含む第２報告フレーム（例えば、ＴＶＷＳ共存情報フレーム（ＴＶ  Ｗｈｉｔｅ  Ｓｐａｃｅ  Ｃｏｅｘｉｓｔａｎｃｅ  Ｉｎｆｏｒｍａｔｉｏｎ  Ｆｒａｍｅ））を転送し、該第２報告フレームは、前記ＣＭが前記ＴＶＷＳ共存情報フレームの共存情報を用いて前記第３ステーションを非活性化させるか否かを決定し、前記決定の結果、前記第１ステーションを非活性化させる場合に、前記ＣＭが前記第３ステーションの活性化ステーションに、前記第３ステーションのアドレスを含む非活性化命令フレーム（例えば、ＴＶＷＳ共存命令フレーム）を転送するようにすることができる。この場合、前記第３ステーションの活性化ステーションは、前記第３ステーションに非活性化されることを指示するための非活性化フレームを転送することができる。
【００２５】
また、前記第２ステーションは、前記活性化信号の検出されたチャネルが、前記第１可用チャネルリストに含まれていないと、前記第３ステーションを不正機器と判断することができる。
【００２６】
また、前記第１ステーションは前記第２ステーションに、前記第１可用チャネルリストが適用される機器タイプ（ｄｅｖｉｃｅ  ｔｙｐｅ）に関する情報を転送し、前記活性化信号は、前記第３ステーションの機器タイプに関する情報を含み、前記第２ステーションは、前記第１可用チャネルリストが適用される機器タイプ及び前記第３ステーションの機器タイプを考慮して、前記第３ステーションが不正機器であるか否かを判断することができる。
【００２７】
また、前記第１ステーションは前記第２ステーションにモニタリングすることを要請するモニタリング対象チャネルを含む要請フレームを転送し、前記第２ステーションは、前記モニタリング対象チャネルをモニタリングして前記活性化信号を受信することができる。
【００２８】
上記課題を達成するために、本発明のさらに他の様相に係る無線ＬＡＮシステムにおいてＴＶホワイトスペース（ＴＶ  Ｗｈｉｔｅ  Ｓｐａｃｅ、ＴＶＷＳ）帯域で、免許された機器（ｌｉｃｅｎｓｅｄ  ｄｅｖｉｃｅ）により使用されていない可用チャネル内で動作が許容された非免許機器（ｕｎｌｉｃｅｎｓｅｄ  ｄｅｖｉｃｅ）として動作する第１ステーションは、前記第１ステーションの活性化ステーション（ｅｎａｂｌｉｎｇ  ｓｔａｔｉｏｎ）から第１可用チャネルリスト（ａｖａｉｌａｂｌｅ  ｃｈａｎｎｅｌ  ｌｉｓｔ）を受信し、第２ステーションから活性化信号（ｅｎａｂｌｉｎｇ  ｓｉｇｎａｌ）を受信する受信モジュール、前記活性化信号及び前記第１可用チャネルリストを用いて前記第２ステーションが不正機器であるか否かを判断するプロセッサを備える。
【発明の効果】
【００２９】
本発明の実施例によれば、ＴＶＷＳ帯域で非免許機器が使用されていないチャネルを使用する不正機器を効率的に検出して非活性化させることによって、免許機器を保護することができる。
【図面の簡単な説明】
【００３０】
【図１】無線ＬＡＮシステムの構成の一例を示す図である。
【図２】無線ＬＡＮシステムの構成の他の例を示す図である。
【図３】ＳＴＡの活性化過程を示す図である。
【図４】ＤＳＥ活性化フレーム（ＤＳＥ  Ｅｎａｂｌｅｍｅｎｔ  ｆｒａｍｅ）のフォーマットを示す図である。
【図５】機器タイプに従う可用ＴＶチャネルの例を示す図である。
【図６】活性化ＳＴＡ（Ｅｎａｂｌｉｎｇ  ＳＴＡ）が依存的ＳＴＡ（Ｄｅｐｅｎｄｅｎｔ  ＳＴＡ）にモニタリングを要請するために転送するＴＶＢＤ測定要請フレーム（ＴＶＢＤ  Ｍｅａｓｕｒｅｍｅｎｔ  Ｒｅｑｕｅｓｔ  ｆｒａｍｅ）のフォーマットの一例を示す図である。
【図７】活性化ＳＴＡが依存的ＳＴＡにモニタリングを要請するために転送するＴＶＢＤ測定要請フレームのフォーマットの他の例を示す図である。
【図８】依存的ＳＴＡが自身の活性化ＳＴＡに不正機器の検出を報告するためのＴＶＢＤ測定報告フレーム（ＴＶＢＤ  Ｍｅａｓｕｒｅｍｅｎｔ  Ｒｅｐｏｒｔ  ｆｒａｍｅ）のフォーマットを示す図である。
【図９】不正機器の活性化ＳＴＡが、不正機器を検出した依存的ＳＴＡの活性化ＳＴＡと同じ場合を示す図である。
【図１０】不正機器の活性化ＳＴＡが、不正機器を検出した依存的ＳＴＡの活性化ＳＴＡと異なる場合を示す図である。
【図１１】ＤＳＥ識別子要素のフォーマットを示す図である。
【図１２】非活性化フレームのフォーマットを示す図である。
【図１３】不正機器の活性化ＳＴＡが、不正機器を検出した依存的ＳＴＡの活性化ＳＴＡと異なる場合に非活性化過程を示す図である。
【図１４】ＴＶＷＳ共存情報フレームのフォーマットを示す図である。
【図１５】ＴＶＷＳ共存命令フレームのフォーマットを示す図である。
【図１６】ＳＴＡまたはＡＰに適用可能であり、かつ本発明を実行できる機器の構成を示すブロック図である。
【発明を実施するための形態】
【００３１】
以下、本発明の好適な実施の形態を、添付の図面を参照しつつ詳細に説明する。添付の図面と共に以下に開示される詳細な説明は、本発明の例示的な実施の形態を説明するためのもので、本発明が実施されうる唯一の実施の形態を示すものではない。以下の詳細な説明は、本発明の完全な理解を提供するために具体的な細部事項を含む。しかし、当業者には、本発明がそれらの具体的な細部事項なしにも実施できるということが理解される。
【００３２】
一方、場合によっては、本発明の概念が曖昧になることを避けるために、公知の構造及び装置を省略したり、各構造及び装置の核心機能を中心にしたブロック図の形式で示す。本明細書全体を通じて同一の構成要素には同一の図面符号を付して説明する。
【００３３】
まず、無線ＬＡＮシステムの一般的な構成について、図１及び図２を用いて説明する。
【００３４】
図１に、無線ＬＡＮシステムの構成の一例を示す。
【００３５】
図１に示すように、無線ＬＡＮシステムは、一つ以上の基本サービスセット（Ｂａｓｉｃ  Ｓｅｒｖｉｃｅ  Ｓｅｔ、ＢＳＳ）を含む。ＢＳＳは、成功的に同期化して互いに通信できるステーション（Ｓｔａｔｉｏｎ、ＳＴＡ）の集合を指す。
【００３６】
ＳＴＡは、媒体接続制御（Ｍｅｄｉｕｍ  Ａｃｃｅｓｓ  Ｃｏｎｔｒｏｌ、ＭＡＣ）と無線媒体に対する物理層（Ｐｈｙｓｉｃａｌ  Ｌａｙｅｒ）インターフェースを有する論理個体であり、アクセスポイント（ａｃｃｅｓｓ  ｐｏｉｎｔ、ＡＰ）及び非ＡＰ ＳＴＡ（Ｎｏｎ−ＡＰ  Ｓｔａｔｉｏｎ）を含む。ＳＴＡのうち、ユーザーが操作する携帯用端末は非ＡＰ ＳＴＡであり、単にＳＴＡという場合は、非ＡＰ ＳＴＡを指すこともある。非ＡＰ ＳＴＡは、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ、ＷＴＲＵ）、ユーザー装備（Ｕｓｅｒ  Ｅｑｕｉｐｍｅｎｔ、ＵＥ）、移動局（Ｍｏｂｉｌｅ  Ｓｔａｔｉｏｎ、ＭＳ）、携帯用端末（Ｍｏｂｉｌｅ  Ｔｅｒｍｉｎａｌ）、または移動加入者ユニット（Ｍｏｂｉｌｅ  Ｓｕｂｓｃｒｉｂｅｒ  Ｕｎｉｔ）などと呼ぶこともできる。
【００３７】
そして、ＡＰは、自身に結合されたＳＴＡ（Ａｓｓｏｃｉａｔｅｄ  Ｓｔａｔｉｏｎ）に、無線媒体を通じて分配システム（Ｄｉｓｔｒｉｂｕｔｉｏｎ  Ｓｙｓｔｅｍ、ＤＳ）への接続を提供する個体である。ＡＰは、集中制御機、基地局（Ｂａｓｅ  Ｓｔａｔｉｏｎ、ＢＳ）、Ｎｏｄｅ−Ｂ、ＢＴＳ（Ｂａｓｅ  Ｔｒａｎｓｃｅｉｖｅｒ  Ｓｙｓｔｅｍ）、またはサイト制御機などと呼ぶこともできる。
【００３８】
ＢＳＳは、インフラストラクチャー（ｉｎｆｒａｓｔｒｕｃｔｕｒｅ）ＢＳＳと独立した（Ｉｎｄｅｐｅｎｄｅｎｔ）ＢＳＳ（ＩＢＳＳ）とに区別することができる。
【００３９】
図１に示すＢＳＳは、ＩＢＳＳに相当する。ＩＢＳＳは、ＡＰを含まないＢＳＳを意味し、ＡＰを含まないため、ＤＳへの接続が許容されず、自分完備的なネットワーク（ｓｅｌｆ−ｃｏｎｔａｉｎｅｄ  ｎｅｔｗｏｒｋ）をなす。
【００４０】
図２は、無線ＬＡＮシステムの構成の他の例を示す図である。
【００４１】
図２に示すＢＳＳは、インフラストラクチャーＢＳＳに相当する。インフラストラクチャーＢＳＳは、一つ以上のＳＴＡ及びＡＰを含む。インフラストラクチャーＢＳＳにおいて非ＡＰ ＳＴＡ同士の通信は、ＡＰを経由してなるのが原則であるが、非ＡＰ ＳＴＡ間に直接リンク（ｌｉｎｋ）が設定された場合には、非ＡＰ ＳＴＡ同士の直接通信も可能である。
【００４２】
図２に示すように、複数のインフラストラクチャーＢＳＳは、ＤＳを介して相互接続することができる。ＤＳを介して接続している複数のＢＳＳを拡張サービスセット（Ｅｘｔｅｎｄｅｄ  Ｓｅｒｖｉｃｅ  Ｓｅｔ、ＥＳＳ）という。ＥＳＳに含まれるＳＴＡは互いに通信でき、同じＥＳＳ内で、非ＡＰ ＳＴＡはシームレスに通信しながら、一つのＢＳＳから他のＢＳＳに移動することができる。
【００４３】
ＤＳは、複数のＡＰを接続させるメカニズム（ｍｅｃｈａｎｉｓｍ）であり、必ずしもネットワークである必要はなく、所定の分配サービスを提供できるものであれば、その形態には何らの制限もない。例えば、ＤＳは、メッシュ（ｍｅｓｈ）ネットワークのような無線ネットワークでも、ＡＰ同士を互いに接続させる物理的な構造物でもよい。
【００４４】
次に、ＴＶＷＳ（ＴＶ  Ｗｈｉｔｅ  ｓｐａｃｅ）帯域で動作するためにＳＴＡが活性化（ｅｎａｂｌｅｍｅｎｔ）する過程及び可用チャネルリスト（ａｖａｉｌａｂｌｅ  ｃｈａｎｎｅｌ  ｌｉｓｔ）を獲得する過程について説明する。
【００４５】
ＴＶＷＳ帯域で動作する非免許機器は、活性化（Ｅｎａｂｌｉｎｇ）ＳＴＡと依存的（Ｄｅｐｅｎｄｅｎｔ）ＳＴＡとに分類することができる。活性化ＳＴＡは、依存的ＳＴＡを活性化させることができるＳＴＡで、活性化信号（ｅｎａｂｌｉｎｇ  ｓｉｇｎａｌ）を受信しなくても信号を転送することができ、ネットワークを開始（ｉｎｉｔｉａｔｉｏｎ）することができる。
【００４６】
活性化ＳＴＡは、データベース（ｄａｔａｂａｓｅ、ＤＢ）に地理的な位置（ｇｅｏ−ｌｏｃａｔｉｏｎ）情報を登録し、ＤＢから当該地理的位置で使用可能なチャネルリストを獲得することができる。活性化ＳＴＡは、必ずしもＷＬＡＮ ＳＴＡである必要はなく、活性化に関連したサービスを提供できる論理的個体またはネットワークサーバーであればよい。
【００４７】
依存的ＳＴＡは、信号を転送するためには活性化信号を受信しなければならないＳＴＡで、活性化ＳＴＡにより制御される。依存的ＳＴＡは必ず活性化ＳＴＡを通して活性化しなければならず、独立して活性化することは不可能である。
【００４８】
図３に、ＳＴＡの活性化過程を示す。
【００４９】
依存的ＳＴＡが活性化ＳＴＡにより活性化する過程は、ＩＥＥＥ ８０２．１１ｙの動的ＳＴＡ活性化（Ｄｙｎａｍｉｃ  ＳＴＡ  Ｅｎａｂｌｅｍｅｎｔ、ＤＳＥ）と類似の過程に従うことができる。
【００５０】
図３に示すように、活性化ＳＴＡは、ＤＳＥ登録された位置要素（ＤＳＥ  Ｒｅｇｉｓｔｅｒｅｄ  Ｌｏｃａｔｉｏｎ  ｅｌｅｍｅｎｔ）を含むビーコン（Ｂｅａｃｏｎ）を転送する（Ｓ３１０）。この時、ＤＳＥ登録された位置要素は、１に設定されたＲｅｇＬｏｃ ＤＳＥビットを含む。そして、活性化ＳＴＡは、ＤＳＥ登録された位置要素をプローブ応答フレーム（Ｐｒｏｂｅ  Ｒｅｓｐｏｎｓｅ  ｆｒａｍｅ）に含めて転送してもよい。活性化が可能であることを知らせる信号を活性化信号（ｅｎａｂｌｉｎｇ  ｓｉｇｎａｌ）というが、ＤＳＥ登録された位置要素を含むビーコンまたはプローブ応答フレームが活性化信号として用いられる。
【００５１】
ＤＳＥ登録された位置要素を受信してデコーディングした依存的ＳＴＡは、ＤＳＥ登録された位置要素が指示するチャネルを用いて、ＤＳＥ活性化要請フレーム（ＤＳＥ  Ｅｎａｂｌｅｍｅｎｔ  Ｒｅｑｕｅｓｔ  Ｆｒａｍｅ）を活性化ＳＴＡに転送し（Ｓ３２０）、活性化ＳＴＡからＤＳＥ活性化応答フレーム（ＤＳＥ  Ｅｎａｂｌｅｍｅｎｔ  Ｒｅｓｐｏｎｓｅ  Ｆｒａｍｅ）を受信することができる（Ｓ３３０）。
【００５２】
図４に、ＤＳＥ活性化フレーム（ＤＳＥ  Ｅｎａｂｌｅｍｅｎｔ  ｆｒａｍｅ）のフォーマット（format）を示す。ＤＳＥ活性化フレームは、ＤＳＥ活性化要請フレームまたはＤＳＥ活性化応答フレームでよい。
【００５３】
図４に示すように、ＤＳＥ活性化フレームは、カテゴリー（Ｃａｔｅｇｏｒｙ）フィールド、動作値（Ａｃｔｉｏｎ  Ｖａｌｕｅ）フィールド、要請ＳＴＡアドレス（Ｒｅｑｕｅｓｔｅｒ  ＳＴＡ  Ａｄｄｒｅｓｓ）フィールド、応答ＳＴＡアドレス（Ｒｅｓｐｏｎｄｅｒ  ＳＴＡ  Ａｄｄｒｅｓｓ）フィールド、理由結果コード（Ｒｅａｓｏｎ  Ｒｅｓｕｌｔ  Ｃｏｄｅ）フィールド及び活性化識別子（Ｅｎａｂｌｅｍｅｎｔ  Ｉｄｅｎｔｉｆｉｅｒ）フィールドを有する。
【００５４】
要請ＳＴＡアドレスフィールドは、ＤＳＥ活性化フレームを転送するＳＴＡのＭＡＣアドレスを示し、応答ＳＴＡアドレスフィールドは、ＤＳＥ活性化フレームを受信するＳＴＡのＭＡＣアドレスを示す。そして、理由結果コードフィールドは、ＤＳＥ活性化フレームがＤＳＥ活性化要請フレームであるか、或いはＤＳＥ活性化応答フレームインであるかを示す。そして、活性化識別子フィールドは、ＤＳＥ活性化フレームがＤＳＥ活性化応答フレームの場合に、活性化ＳＴＡが依存的ＳＴＡに割り当てる活性化ＩＤ（Ｅｎａｂｌｅｍｅｎｔ  ＩＤ）を示す。
【００５５】
そのため、依存的ＳＴＡが転送するＤＳＥ活性化要請フレームの要請ＳＴＡアドレスフィールドは、依存的ＳＴＡのＭＡＣアドレスであり、応答ＳＴＡアドレスフィールドは、活性化ＳＴＡのＭＡＣアドレスであり、理由結果コードフィールドは、ＤＳＥ活性化フレームがＤＳＥ活性化要請フレームであることを示す。そして、活性化識別子フィールドは、無効（ｉｎｖａｌｉｄ）値で埋められる。
【００５６】
そして、活性化ＳＴＡが転送するＤＳＥ活性化応答フレームの要請ＳＴＡアドレスフィールドは、活性化ＳＴＡのＭＡＣアドレスであり、応答ＳＴＡアドレスフィールドは、依存的ＳＴＡのＭＡＣアドレスであり、理由結果コードフィールドは、ＤＳＥ活性フレームがＤＳＥ活性化応答フレームであることを示す。そして、活性化識別子フィールドは、活性化ＳＴＡが依存的ＳＴＡに割り当てた活性化ＩＤで埋められる。
【００５７】
活性化の他の方法としては、ＲＬＱＰ（Ｒｅｇｉｓｔｅｒｅｄ  Ｌｏｃａｔｉｏｎ  Ｑｕｅｒｙ  Ｐｒｏｔｏｃｏｌ）を用いた方式がある。これは、ＩＥＥＥ ８０２．１１ｕの包括的な広告サービス（Ｇｅｎｅｒｉｃ  Ａｄｖｅｒｔｉｓｅｍｅｎｔ  Ｓｅｒｖｉｃｅ、ＧＡＳ）プロトコル（ｐｒｏｔｏｃｏｌ）を用いてＤＳＥ活性化を行う方式である。ＧＡＳプロトコルを支援するＳＴＡは、インターワーキング要素（Ｉｎｔｅｒｗｏｒｋｉｎｇ  ｅｌｅｍｅｎｔ）をビーコンフレーム及びプローブ応答フレームに含める。ＳＴＡは、自身が支援する広告プロトコルＩＤ（Ａｄｖｅｒｔｉｓｅｍｅｎｔ  Ｐｒｏｔｏｃｏｌ  ＩＤ）を広告プロトコル要素（Ａｄｖｅｒｔｉｓｅｍｅｎｔ  Ｐｒｏｔｏｃｏｌ  ｅｌｅｍｅｎｔ）に含めて伝達する。
【００５８】
ＲＬＱＰを用いた活性化方法では、ＲＬＱＰを示すプロトコルＩＤを含む広告プロトコルタプル（Ａｄｖｅｒｔｉｓｅｍｅｎｔ  ｐｒｏｔｏｃｏｌ  ｔｕｐｌｅ）を含む広告プロトコル要素を含むビーコンフレームまたはプローブ応答フレームが、活性化信号に相当する。
【００５９】
すなわち、活性化ＳＴＡは、ＲＬＱＰを示すプロトコルＩＤを含む広告プロトコルタプルを含む広告プロトコル要素を含むビーコンフレームまたはプローブ応答フレームを転送する。すると、これを受信した依存的ＳＴＡは、ＧＡＳプロトコルを用いてＤＳＥ活性化要請要素（ＤＳＥ  ｅｎａｂｌｅｍｅｎｔ  ｒｅｑｕｅｓｔ  ｅｌｅｍｅｎｔ）を転送し、活性化ＳＴＡからＤＳＥ活性化応答要素（ＤＳＥ  ｅｎａｂｌｅｍｅｎｔ  ｒｅｓｐｏｎｓｅ  ｅｌｅｍｅｎｔ）を受信すると活性化される。
【００６０】
ホワイトスペース帯域（例えば、ＴＶＷＳ帯域）でＳＴＡが動作するためには、免許機器（ｌｉｃｅｎｓｅｄ  ｄｅｖｉｃｅ）に対する保護手法をまず提供しなければならない。そのため、ＳＴＡは、免許機器により使用されていないことから非免許機器（ｕｎｌｉｃｅｎｓｅｄ  ｄｅｖｉｃｅ）が使用できる可用チャネル（ａｖａｉｌａｂｌｅ  ｃｈａｎｎｅｌ）を見出し、該可用チャネルで動作しなければならない。
【００６１】
ＳＴＡがＴＶチャネルの可用性（ａｖａｉｌａｂｉｌｉｔｙ）を把握する方法としては、スペクトラムセンシング（ｓｐｅｃｔｒｕｍ  ｓｅｎｓｉｎｇ）、及びデータベース（Ｄａｔａｂａｓｅ、ＤＢ）に接続してＴＶチャネルスケジュールを把握する方法がある。ＤＢ情報は、特定位置での免許機器の特定チャネル使用スケジュールなどに関する情報を含む。そのため、ＴＶチャネルの可用性を把握しようとするＳＴＡは、インターネットを通じてＤＢに接続し、自身の位置情報に基づくＤＢ情報を得る必要があり、これは、免許機器を保護するのに十分な時間単位に行われなければならない。
【００６２】
活性化ＳＴＡは、ＴＶ信号がチャネルを占有しているか否か及び非免許機器が使用できるチャネルを、依存的ＳＴＡに転送するが、これを可用チャネルリスト（ａｖａｉｌａｂｌｅ  ｃｈａｎｎｅｌ  ｌｉｓｔ）という。可用チャネルリストに含まれているチャネルは、法的に保護されるべき信号が使用していないチャネルで、非免許機器がデータベースに接続した時点で非免許機器が使用可能なチャネルである。
【００６３】
可用チャネルリスト中のチャネルは、データベースが提供する最小単位のグラニュラティ（ｇｒａｎｕｌａｒｉｔｙ）を持つチャネルでよい。すなわち、ＴＶＷＳに対するＴＶ帯域データベースが提供する最小単位のチャネルがＴＶチャネルである場合に、可用チャネルリストは、非免許機器が使用できるＴＶチャネルリストとなる。例えば、アメリカ及び韓国では６ＭＨｚ単位のＴＶチャネルの番号のリストに相当し、その他の国では７ＭＨｚまたは８ＭＨｚ単位のチャネルのリストに相当する。
【００６４】
可用チャネルリストは、活性化過程でまたは活性化が成功的に行われた後に、活性化ＳＴＡから依存的ＳＴＡに転送することができる。
【００６５】
次に、本発明の実施例に係る無線ＬＡＮシステムにおいて不正機器を非活性化させる方法について説明する。
【００６６】
本発明の実施例によれば、依存的ＳＴＡが不正機器を検出して活性化ＳＴＡに報告すると、活性化ＳＴＡは不正機器を非活性化させる。
【００６７】
したがって、まず、依存的ＳＴＡが不正機器を検出して報告する過程を説明する。
【００６８】
不正（ｉｌｌｅｇａｌ）機器とは、規約に従わず、使用不可能なチャネルで動作を試みたり、使用不可能なチャネルで動作しているホワイトスペース帯域機器、例えば、ＴＶ帯域機器（ＴＶ  ｂａｎｄ  ｄｅｖｉｃｅ、ＴＶＢＤ）のことを指す。例えば、依存的ＡＰが偽の登録（ｆａｋｅ  ｒｅｇｉｓｔｒａｔｉｏｎ）のような故意的方法により、自身の地理的位置で使用許可されていないチャネルを占有することがある。また、ＧＰＳ受信機の誤り、不充分なＧＰＳ信号、ＧＰＳジャマー（ｊａｍｍｅｒ）などにより特定ＡＰの位置情報が誤登録され、当該ＡＰが誤った使用可能チャネル情報を獲得する場合もある。このような不正の依存的ＡＰは、活性化過程の方式に従わず、使用許可されていないチャネルで活性化信号を転送することがある。この場合、不正ＴＶＢＤが使用する許可されていないチャネルを、不正チャネルということができる。すなわち、許可されていないチャネルは、規定によって使用が制限されているチャネル、または該当の時点で免許機器が使用しているチャネルである。
【００６９】
正常に動作している依存的ＳＴＡは、ＤＳＥ測定（ｍｅａｓｕｒｅｍｅｎｔ）を含む様々な形態の測定、モニタリング過程で活性化信号を検出することができる。そして、それらの依存的ＳＴＡは、検出された活性化信号の適法性（ｌｅｇａｌｉｔｙ）を判断し、許可されていない周波数帯域が使用されていると判断すると、その事実を自身の活性化ＳＴＡに報告することができる。
【００７０】
依存的ＳＴＡが、受信した活性化信号の適法性有無を判断する方法には様々なものがある。その代表には、（１）依存的ＳＴＡが持っている可用チャネルリストを用いて、受信した活性化信号の適法性有無を自発的に判断する方法、（２）活性化ＳＴＡが依存的ＳＴＡに特定チャネルに対して不正機器が存在するか否かをモニタリングするように指示する方法がある。
【００７１】
まず、依存的ＳＴＡが、自身が持っている可用チャネルリストを用いて、受信した活性化信号の適法性を自発的に判断する方法について説明する。
【００７２】
正常に動作する依存的ＳＴＡは、活性化過程中にまたは活性化に成功した後に、活性化ＳＴＡから可用チャネルリストを獲得することができる。依存的ＳＴＡは、自身が獲得した可用チャネルリストが有効な場合に、自身が獲得した可用チャネルリストを用いて不正機器を検出することができる。
【００７３】
依存的ＳＴＡは、活性化信号を受信して、活性化信号を転送したＳＴＡの適法性を判断することもでき、可用チャネルリストを受信して、可用チャネルリストを転送したＳＴＡの適法性を判断することもできる。
【００７４】
まず、活性化信号を受信して、活性化信号を転送したＳＴＡの適法性を判断する方法について説明する。依存的ＳＴＡは、正常動作を行う間においてまたはチャネルモニタリングをするように指定された時間区間において、一つ以上のチャネルに対してチャネルモニタリングを行うことができる。この時、依存的ＳＴＡは、可用チャネルリストに含まれているチャネルだけでなく、可用チャネルリストに含まれていないチャネルもモニタリングすることができ、モニタリングする間に特定チャネルから活性化信号を受信することができる。依存的ＳＴＡは、受信した活性化信号が検出されたチャネルと、自身が持っている可用チャネルリストのチャネル情報とを比較し、活性化信号の検出されたチャネルが可用チャネルリストに含まれていないと、当該活性化信号を転送したＳＴＡを不正機器と判断することができる。
【００７５】
次に、可用チャネルリストを受信して、可用チャネルリストを転送したＳＴＡの適法性を判断する方法について説明する。依存的ＳＴＡは、自身の活性化ＳＴＡ以外のＳＴＡから可用チャネルリストを受信して、可用チャネルリストを転送したＳＴＡが不正機器であるか否かを判断することができる。依存的ＳＴＡは、活性化過程中にまたは活性化に成功した後に、有効な可用チャネルリストを獲得することができる。依存的ＳＴＡは、自身の活性化ＳＴＡから有効な第１可用チャネルリストを獲得し、この活性化ＳＴＡ以外のＳＴＡから第２可用チャネルリストを獲得することができる。すなわち、依存的ＳＴＡは、異なる２つのＳＴＡから可用チャネルリストを獲得することができる。この時、第２可用チャネルリストが第１可用チャネルリストと異なると、依存的ＳＴＡは、第２可用チャネルリストを転送したＳＴＡを不正機器と判断することができる。
【００７６】
不正機器を検出する依存的ＳＴＡが非ＡＰ ＳＴＡである場合に、不正機器検出過程の一例を説明する。非ＡＰ ＳＴＡは、自身と結合されたＡＰから可用チャネルリストを受信することができる。ＡＰは、データベースまたは活性化ＳＴＡに自身の地理的位置を登録し、当該位置で可用チャネルリストを獲得することができる。ＡＰは、自身の可用チャネルリストを非ＡＰ ＳＴＡに転送することができるが、この時、非ＡＰ ＳＴＡは、ＡＰがデータベースに接続して非ＡＰ ＳＴＡのＦＣＣ ＩＤが有効であるということを検証されたＳＴＡに相当する。すなわち、非ＡＰ ＳＴＡは、周期的に自身と結合されたＡＰから可用チャネルリストを受信し、周期的にまたは必要時に、活性化ＳＴＡから可用チャネルリストを獲得することができる。この時、自身と結合されたＡＰから受信した可用チャネルリストが、活性化ＳＴＡから受信した可用チャネルリストと一致しないと、自身と結合されたＡＰを不正機器と判断することができる。
【００７７】
さらに、依存的ＳＴＡは、特定ＳＴＡが不正機器であるか否かを判断する時に、自身が持っている可用チャネルリストがどんな機器タイプ（ｄｅｖｉｃｅ  ｔｙｐｅ）に関するものか、及び当該特定ＳＴＡの機器タイプに関する情報を用いてもよい。
【００７８】
すなわち、依存的ＳＴＡが特定ＳＴＡから活性化信号を受信し、該受信した活性化信号を用いて特定ＳＴＡの適法性有無を判断する上で、自身が持っている可用チャネルリストがいかなる機器タイプに関するものかを知り、受信した活性化信号を転送した特定ＳＴＡの機器タイプも知る場合に、これらの情報を特定ＳＴＡの適法性有無を判断するのに用いることができる。
【００７９】
機器タイプとは、ＴＶＷＳ帯域で動作するＴＶバンド機器がいかなるチャネル帯域を使用するように許可されているか、及び支援するスペクトラムマスククラス（ｓｐｅｃｔｒｕｍ  ｍａｓｋ  ｃｌａｓｓ）の種類などによって定義されるＴＶバンド機器の種類を指す。
【００８０】
これは、機器によって、規約に従って使用許可された周波数帯域が異なったり、許可された周波数帯域が同一であっても、機器が支援するスペクトラムマスククラスが変わることにより機器が使用可能なチャネルの番号と該当のチャネルでの最大転送電力の値が様々に変わることがあるからである。
【００８１】
依存的ＳＴＡが、自身が獲得した可用チャネルリストがどんな機器タイプに適用されるものか認知できるように、活性化ＳＴＡまたはＡＰは依存的ＳＴＡに、可用チャネルリストがどんな機器タイプに関するものかを知らせることができる。好ましくは、活性化ＳＴＡまたはＡＰは、依存的ＳＴＡに可用チャネルリストを転送しながら、可用チャネルリストがどんな機器タイプに関するものかに関する情報も共に転送することができる。
【００８２】
依存的ＳＴＡは、自身が持っている可用チャネルリストに含まれていないチャネルで活性化信号を受信することもある。しかし、活性化信号を転送するＳＴＡは、機器タイプによって当該チャネルで使用許可されている場合もある。そのため、依存的ＳＴＡが、活性化信号を転送するＳＴＡの機器タイプを考慮できるように、活性化信号を転送するＳＴＡは、活性化信号中に自身の機器タイプを含めることができる。活性化信号が可用チャネルリストを含む場合には、活性化信号を転送するＳＴＡは、可用チャネルリストに機器タイプを含めることができる。活性化信号が可用チャネルリストを含まない場合には、活性化信号を転送するＳＴＡは、機器タイプフィールドを活性化信号に追加したり、機器タイプを示すシグナリングを活性化信号と共に転送することができる。
【００８３】
図５は、機器タイプによる可用ＴＶチャネルの例を示す図である。例えば、機器タイプとしては、固定された機器（ｆｉｘｅｄ  ｄｅｖｉｃｅ）と個人用移動機器（ｐｅｒｓｏｎａｌ／ｐｏｒｔａｂｌｅ  ｄｅｖｉｃｅ）を挙げることができる。図５（ａ）は、固定された機器の使用可能チャネルと最大電力値を示し、図５（ｂ）は、個人用移動機器の使用可能チャネルと最大電力値を示している。
【００８４】
例えば、ＦＣＣ規約に従って、５４〜６０ＭＨｚ、７６〜８８ＭＨｚ、１７４〜２１６ＭＨｚ、４７０〜５１２ＭＨｚでの１８個チャネルは、固定された機器にのみ許容されており、５１２〜６０８ＭＨｚ、６１４〜６９８ＭＨｚの３０個チャネルは、固定された機器と個人用移動機器の両方に許容されている。また、固定された機器は、免許機器が使用しているＴＶチャネルの隣接チャネルを使用することができない。しかし、個人用移動機器は、許容可能最大電力値を１００ｍＷから４０ｍＷに減らす条件付きで、免許機器が使用しているＴＶチャネルの隣接チャネルを使用することができる。そのため、図５に示すように、機器タイプによって可用チャネルが異なることがある。
【００８５】
依存的ＳＴＡが第１ＡＰに結合して正常動作している間に、モニタリング過程で第２ＡＰから活性化信号を受信し、かつ該受信した活性化信号が免許機器により使用されているチャネルを通じて転送された場合は、依存的ＳＴＡが持っている可用チャネルリストが適用される機器タイプ及び第２ＡＰの機器タイプを問わず、第２ＡＰを不正機器と判断することができる。
【００８６】
しかし、免許機器が占有していないチャネルは、機器タイプによって、使用可能か否か及び最大電力値が変わることがあるため、依存的ＳＴＡが、免許機器が占有しているチャネル以外のチャネルで第２ＡＰから活性化信号を受信した場合は、依存的ＳＴＡが持っている可用チャネルリストが適用される機器タイプ、及び第２ＡＰの機器タイプを考慮して、第２ＡＰが不正機器であるか否かを判断することが、より好ましい。
【００８７】
例えば、依存的ＳＴＡが持っている可用チャネルリストの機器タイプが、固定された機器であれば、依存的ＳＴＡが２２番チャネルまたは２４番チャネルで第２ＡＰから活性化信号を受信しても、受信した活性化信号に含まれている第２ＡＰの機器タイプが個人用移動機器であると、第２ＡＰを不正機器と判断しない。
【００８８】
もし、依存的ＳＴＡが持っている可用チャネルリストの機器タイプが、個人用移動機器であれば、依存的ＳＴＡが１９番チャネルで第２ＡＰから活性化信号を受信しても、受信した活性化信号に含まれている第２ＡＰの機器タイプが固定された機器であると、第２ＡＰを不正機器と判断しない。
【００８９】
次に、活性化ＳＴＡが依存的ＳＴＡに、特定チャネルに対して不正機器が存在するか否かをモニタリングするように指示する方法について説明する。
【００９０】
活性化ＳＴＡは依存的ＳＴＡに特定チャネルらで活性化信号をモニタリングすることを要請することができる。活性化ＳＴＡが依存的ＳＴＡにモニタリングを要請するために転送するフレームは、モニタリング対象チャネルリストとモニタリング時間区間を指定することができる。モニタリング対象チャネルは、免許機器により占有されていて非免許機器が当該時点で使用できない、可用チャネルでないチャネルでよい。依存的ＳＴＡは、モニタリング対象チャネルで活性化信号を受信すると、受信した活性化信号を転送したＳＴＡを不正機器と判断することができる。
【００９１】
図６は、活性化ＳＴＡが依存的ＳＴＡにモニタリングを要請するために転送するＴＶＢＤ測定要請フレーム（ＴＶＢＤ  Ｍｅａｓｕｒｅｍｅｎｔ  Ｒｅｑｕｅｓｔ  ｆｒａｍｅ）のフォーマットの一例を示す図であり、図７は、活性化ＳＴＡが依存的ＳＴＡにモニタリングを要請するために転送するＴＶＢＤ測定要請フレームのフォーマットの他の例を示す図である。図６は、活性化ＳＴＡが依存的ＳＴＡにモニタリングを要請するチャネルをＷＬＡＮチャネルで知らせる場合を示し、図７は、活性化ＳＴＡが依存的ＳＴＡにモニタリングを要請するチャネルをＴＶチャネルで知らせる場合を示す。
【００９２】
図６に示すように、ＴＶＢＤ測定要請フレームは、カテゴリー（Ｃａｔｅｇｏｒｙ）フィールド、動作値（Ａｃｔｉｏｎ  Ｖａｌｕｅ）フィールド、要請ＳＴＡアドレス（Ｒｅｑｕｅｓｔｅｒ  ＳＴＡ  Ａｄｄｒｅｓｓ）フィールド、応答ＳＴＡアドレス（Ｒｅｓｐｏｎｄｅｒ  ＳＴＡ  Ａｄｄｒｅｓｓ）フィールド、動作クラス（Ｏｐｅｒａｔｉｎｇ  Ｃｌａｓｓ）フィールド、チャネル番号（Ｃｈａｎｎｅｌ  Ｎｕｍｂｅｒ）フィールド、測定開始時刻（Ｍｅａｓｕｒｅｍｅｎｔ  Ｓｔａｒｔ  Ｔｉｍｅ）フィールド、及び測定期間（Ｍｅａｓｕｒｅｍｅｎｔ  Ｄｕｒａｔｉｏｎ）フィールドを含むことができる。
【００９３】
または、図７に示すように、ＴＶＢＤ測定要請フレームは、カテゴリー（Ｃａｔｅｇｏｒｙ）フィールド、動作値（Ａｃｔｉｏｎ  Ｖａｌｕｅ）フィールド、要請ＳＴＡアドレス（Ｒｅｑｕｅｓｔｅｒ  ＳＴＡ  Ａｄｄｒｅｓｓ）フィールド、応答ＳＴＡアドレス（Ｒｅｓｐｏｎｄｅｒ  ＳＴＡ  Ａｄｄｒｅｓｓ）フィールド、ＴＶチャネル番号（ＴＶ  Ｃｈａｎｎｅｌ  Ｎｕｍｂｅｒ）フィールド、測定開始時刻（Ｍｅａｓｕｒｅｍｅｎｔ  Ｓｔａｒｔ  Ｔｉｍｅ）フィールド及び測定期間（Ｍｅａｓｕｒｅｍｅｎｔ  Ｄｕｒａｔｉｏｎ）フィールドを含む。
【００９４】
測定開始時刻フィールドは、ＳＴＡがモニタリングを始める時点を示し、測定期間フィールドは、ＳＴＡがモニタリングを行う時間的区間を示す。
【００９５】
動作クラスフィールドとチャネル番号フィールドは、活性化ＳＴＡが依存的ＳＴＡにモニタリングを要請するＷＬＡＮチャネルの番号を指定する。そして、ＴＶチャネル番号フィールドは、活性化ＳＴＡが依存的ＳＴＡにモニタリングを要請するＴＶチャネルの番号を示す。この場合には、依存的ＳＴＡは、動作クラスフィールド及びチャネル番号フィールドが指定するＷＬＡＮチャネルをモニタリングしたり、ＴＶチャネル番号フィールドが示すＴＶチャネルをモニタリングして活性化信号を受信し、不正機器を検出する。
【００９６】
または、活性化ＳＴＡは、図６の動作クラスフィールドとチャネル番号フィールドが指定するＷＬＡＮチャネル以外の残りチャネルをモニタリングすることを依存的ＳＴＡに要請することもできる。そして、活性化ＳＴＡは、図７のＴＶチャネル番号フィールドが指定するＴＶチャネル以外の残りチャネルをモニタリングすることを依存的ＳＴＡに要請することもできる。この場合には、依存的ＳＴＡは、動作クラスフィールドとチャネル番号フィールドが指定するＷＬＡＮチャネル以外のＷＬＡＮチャネルをモニタリングしたり、ＴＶチャネル番号フィールドが示すＴＶチャネル以外のＴＶチャネルをモニタリングして活性化信号を受信し、不正機器を検出することができる。
【００９７】
活性化ＳＴＡが依存的ＳＴＡに特定チャネルで活性化信号をモニタリングすることを要請する場合にも、依存的ＳＴＡは、自身が持っている可用チャネルリストの機器タイプ、及びモニタリング過程で受信した活性化信号を転送したＳＴＡの機器タイプを知ることが好ましい。そのため、依存的ＳＴＡが獲得した可用チャネルリストに機器タイプが含まれたり、可用チャネルリストが適用される機器タイプに関する情報が依存的ＳＴＡに転送されることが好ましい。そして、活性化信号には、活性化信号を転送するＳＴＡの機器タイプが含まれることが好ましい。
【００９８】
不正機器を検出した依存的ＳＴＡは、不正機器を検出したことを活性化ＳＴＡに報告することができる。
【００９９】
報告メッセージは、不正機器のＭＡＣアドレス、不正機器の活性化ＳＴＡのアドレス、不正チャネル番号を含むことができる。不正チャネルとは、不正機器が不正に使用しているチャネルを指す。
【０１００】
活性化ＳＴＡが依存的ＳＴＡに、特定チャネルに対して不正機器が存在するか否かをモニタリングするように指示した場合には、報告メッセージをＴＶＢＤ測定要請フレームによる応答として転送することができる。活性化ＳＴＡの要請なしで依存的ＳＴＡが自発的に不正機器を検出した場合には、依存的ＳＴＡが自発的に報告メッセージを転送することができる。
【０１０１】
図８は、依存的ＳＴＡが自身の活性化ＳＴＡに不正機器検出を報告するためのＴＶＢＤ測定報告フレーム（ＴＶＢＤ  Ｍｅａｓｕｒｅｍｅｎｔ  Ｒｅｐｏｒｔ  ｆｒａｍｅ）のフォーマットを示す図である。
【０１０２】
図８に示すように、ＴＶＢＤ測定報告フレームは、カテゴリー（Ｃａｔｅｇｏｒｙ）フィールド、動作値（Ａｃｔｉｏｎ  Ｖａｌｕｅ）フィールド、要請ＳＴＡアドレス（Ｒｅｑｕｅｓｔｅｒ  ＳＴＡ  Ａｄｄｒｅｓｓ）フィールド、応答ＳＴＡアドレス（Ｒｅｓｐｏｎｄｅｒ  ＳＴＡ  Ａｄｄｒｅｓｓ）フィールド、測定開始時刻（Ｍｅａｓｕｒｅｍｅｎｔ  Ｓｔａｒｔ  Ｔｉｍｅ）フィールド、測定期間（Ｍｅａｓｕｒｅｍｅｎｔ  Ｄｕｒａｔｉｏｎ）フィールド、不正ＴＶＢＤアドレス（Ｉｌｌｅｇａｌ  ＴＶＢＤ  Ａｄｄｒｅｓｓ）フィールド、不正ＴＶＢＤの活性化ＳＴＡアドレス（Ｅｎａｂｌｉｎｇ  ＳＴＡ  Ａｄｄｒｅｓｓ  ｏｆ  Ｉｌｌｅｇａｌ  ＴＶＢＤ）フィールド及び不正ＴＶＢＤチャネル番号（Ｉｌｌｅｇａｌ  ＴＶＢＤ  Ｃｈａｎｎｅｌ  Ｎｕｍｂｅｒ）フィールドを含むことができる。
【０１０３】
不正ＴＶＢＤアドレスフィールドは、依存的ＳＴＡが不正機器と判断したＳＴＡのアドレスを示す。すなわち、規約によって使用が許容されていないＴＶＷＳ帯域を使用している不正ＴＶＢＤのアドレスを示す。
【０１０４】
不正ＴＶＢＤの活性化ＳＴＡアドレスフィールドは、依存的ＳＴＡが不正機器と判断したＳＴＡの活性化ＳＴＡのアドレスを示す。
【０１０５】
不正ＴＶＢＤチャネル番号フィールドは、依存的ＳＴＡが不正機器と判断したＳＴＡが不正に使用しているチャネル番号を示す。
【０１０６】
一例として、不正ＴＶＢＤチャネル番号フィールドの値として、ＴＶチャネル番号リストを用いることができる。このとき、活性化ＳＴＡがＷＬＡＮチャネルに対するモニタリングを要請した場合には、依存的ＳＴＡは、不正機器を検出したＷＬＡＮチャネルがどのＴＶチャネルに該当するかを確認し、当該ＴＶチャネルの番号を活性化ＳＴＡに報告することができる。そして、活性化ＳＴＡがＴＶチャネルに対するモニタリングを要請した場合には、依存的ＳＴＡは、不正機器を検出したＴＶチャネル番号を活性化ＳＴＡに報告することができる。
【０１０７】
次に、活性化ＳＴＡが不正機器を非活性化させる過程を説明する。
【０１０８】
不正機器の活性化ＳＴＡが、不正機器を検出した依存的ＳＴＡの活性化ＳＴＡと同じであるか否かによって、非活性化過程は異なってくることがある。そのため、本発明の実施例では、不正機器の活性化ＳＴＡが、不正機器を検出した依存的ＳＴＡの活性化ＳＴＡと同一である場合における非活性化過程と、不正機器の活性化ＳＴＡが、不正機器を検出した依存的ＳＴＡの活性化ＳＴＡと異なる場合における非活性化過程を説明する。
【０１０９】
図９には、不正機器の活性化ＳＴＡが、不正機器を検出した依存的ＳＴＡの活性化ＳＴＡと同一である場合を示し、図１０には、不正機器の活性化ＳＴＡが、不正機器を検出した依存的ＳＴＡの活性化ＳＴＡと異なる場合を示す。
【０１１０】
不正機器の活性化ＳＴＡが、不正機器を検出した依存的ＳＴＡの活性化ＳＴＡと同一であるか否かを判断するためには、不正機器の活性化ＳＴＡに関する情報がブロードキャスト（ｂｒｏａｄｃａｓｔ）されることが好ましい。図９及び１０で、依存的ＳＴＡは、不正ＴＶＢＤに該当する依存的ＡＰ１から活性化信号を受信することを示している。依存的ＳＴＡが依存的ＡＰ１の活性化ＳＴＡに関する情報を知っておらず、活性化ＳＴＡ情報を含まない報告フレームを転送すると、これを受信した活性化ＳＴＡが当該不正ＴＶＢＤを活性化したＳＴＡでない場合は、該当不正ＴＶＢＤの非活性化を指示することができない。そのため、依存的ＳＴＡは、不正ＴＶＢＤがどの活性化ＳＴＡに接続しているかを確認しなければならない。
【０１１１】
そのために、活性化ＳＴＡを明示的に知らせる方法が必要であり、本発明の実施例では、依存的ＳＴＡが、自身を活性化させた活性化ＳＴＡのアドレスを含むＤＳＥ識別子要素（ＤＳＥ  Ｉｄｅｎｔｉｆｉｅｒ  ｅｌｅｍｅｎｔ）をブロードキャストすることを提案する。ＤＳＥ識別子要素を転送する依存的ＳＴＡがＡＰである場合は、ＤＳＥ識別子要素がビーコンフレームまたはプローブ応答フレームに含まれるとよい。
【０１１２】
図１１には、ＤＳＥ識別子要素のフォーマットを示す。図１１に示すように、ＤＳＥ識別子要素は、要素ＩＤ（ｅｌｅｍｅｎｔ  ＩＤ）フィールド、長さ（Ｌｅｎｇｔｈ）フィールド、活性化ＳＴＡアドレス（Ｅｎａｂｌｉｎｇ  ＳＴＡ  Ａｄｄｒｅｓｓ）フィールド及び活性化ＳＴＡタイムスタンプ（Ｅｎａｂｌｉｎｇ  ＳＴＡ  Ｔｉｍｅ  ｓｔａｍｐ）フィールドを含むことができる。
【０１１３】
活性化ＳＴＡアドレスフィールドは、ＤＳＥ識別子要素を転送するＳＴＡを活性化させた活性化ＳＴＡのアドレスを示し、活性化ＳＴＡタイムスタンプフィールドは、活性化ＳＴＡ、依存的ＡＰ及び該ＡＰに結合された依存的ＳＴＡ間の時間同期のための活性化ＳＴＡのタイムスタンプを示す。
【０１１４】
まず、不正機器の活性化ＳＴＡが、不正機器を検出した依存的ＳＴＡの活性化ＳＴＡと同一である場合に、不正機器を非活性化させる過程を説明する。
【０１１５】
不正機器を検出した依存的ＳＴＡは、自身の活性化ＳＴＡに報告メッセージを転送することができる。報告メッセージを受信した活性化ＳＴＡは、追加情報を用いて（例えば、当該不正機器が自身と接続しているか、または、後述されるＣＭの非活性化決定などを用いて）、不正機器を非活性化するか否かを決定することができ、活性化ＳＴＡが当該不正機器の非活性化を決定した場合は、受信した報告メッセージに含まれた不正機器のＭＡＣアドレスを用いて不正機器に非活性化フレームを転送することができる。非活性化フレームを受信した不正機器は、該当のチャネルでの転送を中断し、非活性化状態（ｕｎｅｎａｂｌｅｄ  ｓｔａｔｅ）に切り替わることができる。
【０１１６】
図９で、依存的ＳＴＡは、依存的ＡＰ１から活性化信号を受信し、活性化信号に基づいて依存的ＡＰ１を不正機器と判断すると、依存的ＡＰ１のＭＡＣアドレスを含む報告メッセージを活性化ＳＴＡ（イネーブラー（ｅｎａｂｌｅｒ））に転送することができる。報告メッセージを受信した活性化ＳＴＡは、追加情報を用いて当該依存的ＡＰ１を非活性化させるか否かを判断でき、依存的ＡＰ１の非活性化を決定した場合は、報告メッセージ中のＭＡＣアドレスを用いて依存的ＡＰ１に非活性化フレームを転送することができる。非活性化フレームを受信した依存的ＡＰ１は、該当のチャネルでの転送を中断し、非活性化状態に切り替わることができる。
【０１１７】
非活性化フレームは、一例として、ＩＥＥＥ ８０２．１１ｙで提案された非活性化フレームと同じ形態のものを使用することができる。図１２は、非活性化フレームのフォーマットを示す図である。
【０１１８】
次に、不正機器の活性化ＳＴＡが、不正機器を検出した依存的ＳＴＡの活性化ＳＴＡと異なる場合に、不正機器を非活性化させる過程を、図１３乃至図１５を用いて説明する。
【０１１９】
図１３は、不正機器の活性化ＳＴＡが、不正機器を検出した依存的ＳＴＡの活性化ＳＴＡと異なる場合における非活性化過程を示す図である。
【０１２０】
図１３で、ＣＭは、ＤＢとのインターフェースを有しており、かつ、ＴＶＷＳで動作する互いに異なるシステム及び事業者間の共存のために共存と関連した政策（ｐｏｌｉｃｙ）及びガイドライン（ｇｕｉｄｅｌｉｎｅ）を提供しながら、自身に接続している共存イネーブラー（Ｃｏｅｘｉｓｔｅｎｃｅ  ｅｎａｂｌｅｒ、ＣＥ）同士のインターフェース問題を解決するためにリソース割当を行う個体である。ＣＥは、ＴＶＢＤとのインターフェースを通じてＣＭから受信した要請及び情報をＴＶＢＤに伝達する役割を果たす個体である。本発明の実施例では、活性化ＳＴＡがＣＥと共に動作し、複数の活性化ＳＴＡを制御できる上位個体としてＣＭのような管理サーバーが存在する構造を仮定する。
【０１２１】
不正機器を検出した依存的ＳＴＡは、自身の活性化ＳＴＡ（ｅｎａｂｌｅｒ ２）に報告メッセージを転送することができる。報告メッセージを受信した活性化ＳＴＡは、自身が不正機器の活性化ＳＴＡでない場合は、共存マネージャー（Ｃｏｅｘｉｓｔｅｎｃｅ  Ｍａｎａｇｅｒ、ＣＭ）に不正機器に関する情報を報告するために、ＴＶＷＳ共存情報フレーム（ＴＶＷＳ  ｃｏｅｘｉｓｔｅｎｃｅ  ｉｎｆｏｒｍａｔｉｏｎ  ｆｒａｍｅ）を転送することができる。
【０１２２】
ＴＶＷＳ共存情報フレームは、ＴＶＷＳで異なるシステム及び事業者間の共存のために定義された情報フレームで、当該フレームがいかなる情報に関するものかを示す情報タイプ（Ｉｎｆｏｒｍａｔｉｏｎ  Ｔｙｐｅ）フィールドを含むことができる。
【０１２３】
不正機器を報告するためのＴＶＷＳ共存情報フレームは、活性化ＳＴＡが依存的ＳＴＡから受信した報告メッセージに含まれた情報である不正機器のＭＡＣアドレス、不正機器の活性化ＳＴＡのアドレス、及び不正機器が不正に使用しているチャネルリストを含み、不正機器を検出した依存的ＳＴＡ、及び不正機器を検出した依存的ＳＴＡから報告メッセージを受信した活性化ＳＴＡの情報を含むことができる。
【０１２４】
図１４に、ＴＶＷＳ共存情報フレームのフォーマットを示す。
【０１２５】
図１４に示すように、ＴＶＷＳ共存情報フレームは、情報タイプ（Ｉｎｆｏｒｍａｔｉｏｎ  Ｔｙｐｅ）フィールド、長さ（Ｌｅｎｇｔｈ）フィールド、要請ＳＴＡアドレス（Ｒｅｑｕｅｓｔｅｒ  ＳＴＡ  Ａｄｄｒｅｓｓ）フィールド、応答ＳＴＡアドレス（Ｒｅｓｐｏｎｄｅｒ  ＳＴＡ  Ａｄｄｒｅｓｓ）フィールド、実際測定開始時刻（Ａｃｔｕａｌ  Ｍｅａｓｕｒｅｍｅｎｔ  Ｓｔａｒｔ  Ｔｉｍｅ）フィールド、測定期間（Ｍｅａｓｕｒｅｍｅｎｔ  Ｄｕｒａｔｉｏｎ）フィールド、検出したＴＶＢＤアドレス（Ｐｏｌｉｃｅｄ  ＴＶＢＤ  Ａｄｄｒｅｓｓ）フィールド、検出したＴＶＢＤの活性化ＳＴＡアドレス（Ｅｎａｂｌｉｎｇ  ＳＴＡ  Ａｄｄｒｅｓｓ  ｏｆ  Ｐｏｌｉｃｅｄ  ＴＶＢＤ）フィールド、不正ＴＶＢＤアドレス（Ｉｌｌｅｇａｌ  ＴＶＢＤ  Ａｄｄｒｅｓｓ）フィールド、不正ＴＶＢＤの活性化ＳＴＡアドレス（Ｅｎａｂｌｉｎｇ  ＳＴＡ  Ａｄｄｒｅｓｓ  ｏｆ  Ｉｌｌｅｇａｌ  ＴＶＢＤ）フィールド、及び不正ＴＶＢＤチャネル番号（Ｉｌｌｅｇａｌ  ＴＶＢＤ  Ｃｈａｎｎｅｌ  Ｎｕｍｂｅｒ）を含むことができる。
【０１２６】
情報タイプフィールドは、当該ＴＶＷＳ共存情報フレームが不正機器検出を報告するためのフレームであることを示す。要請ＳＴＡアドレスフィールドフィールドは、ＴＶＷＳ共存情報フレームを転送するＣＥのアドレスを示す。応答ＳＴＡアドレスフィールドは、ＴＶＷＳ共存情報フレームを受信するＣＭのアドレスを示す。実際測定開始時刻フィールドは、不正機器を検出するためにチャネル測定を行った期間の実際開始時刻を示す。測定期間フィールドは、不正機器を検出するためにチャネル測定を行った期間を示す。
【０１２７】
検出したＴＶＢＤアドレスフィールドは、不正機器を検出したＴＶＢＤのアドレスを示す。検出したＴＶＢＤの活性化ＳＴＡアドレスフィールドは、不正機器を検出したＴＶＢＤの活性化ＳＴＡを示す。不正ＴＶＢＤアドレスフィールドは、規約によって使用が許諾されてないＴＶＷＳスペクトラムを使用している不正機器のアドレスを示す。不正ＴＶＢＤの活性化ＳＴＡアドレスフィールドは、不正機器の活性化ＳＴＡのアドレスを示す。不正ＴＶＢＤチャネル番号フィールドは、不正機器が不正に使用しているＴＶＷＳスペクトラムのチャネル番号を示す。
【０１２８】
ＴＶＷＳ共存情報フレームを受信したＣＭは、情報タイプフィールドを確認して、受信したＴＶＷＳ共存情報フレームが不正機器検出に関する報告であることを区別し、追加情報（例えば、共存情報）を用いて、当該不正機器を非活性化させるか否かを決定することができる。決定の結果、当該不正機器の非活性化が決定された場合に、ＣＭは、ＴＶＷＳ共存情報フレームに含まれた不正機器の情報を確認して、不正機器の活性化ＳＴＡにＴＶＷＳ共存命令フレーム（ＴＶ  ｗｈｉｔｅｓｐａｃｅ  ｃｏｅｘｉｓｔｅｎｃｅ  ｃｏｍｍｅｎｄ  ｆｒａｍｅ）を転送することができる。ＴＶＷＳ共存命令フレームは、ＴＶＷＳで異なるシステム及び事業者間の共存のために定義された命令フレームで、当該命令フレームがいかなる命令に関するものかを示す命令タイプ（Ｃｏｍｍａｎｄ  Ｔｙｐｅ）フィールドを含むことができる。不正機器を非活性化させるためのＴＶＷＳ共存命令フレームは、不正機器に関する情報を含むことができる。
【０１２９】
図１５に、ＴＶＷＳ共存命令フレームのフォーマットを示す。
【０１３０】
図１５に示すように、ＴＶＷＳ共存命令フレームは、命令タイプ（Ｃｏｍｍａｎｄ  Ｔｙｐｅ）フィールド、長さ（Ｌｅｎｇｔｈ）フィールド、要請ＳＴＡアドレス（Ｒｅｑｕｅｓｔｅｒ  ＳＴＡ  Ａｄｄｒｅｓｓ）フィールド、応答ＳＴＡアドレス（Ｒｅｓｐｏｎｄｅｒ  ＳＴＡ  Ａｄｄｒｅｓｓ）フィールド、実際測定開始時刻（Ａｃｔｕａｌ  Ｍｅａｓｕｒｅｍｅｎｔ  Ｓｔａｒｔ  Ｔｉｍｅ）フィールド、測定期間（Ｍｅａｓｕｒｅｍｅｎｔ  Ｄｕｒａｔｉｏｎ）フィールド、検出したＴＶＢＤアドレス（Ｐｏｌｉｃｅｄ  ＴＶＢＤ  Ａｄｄｒｅｓｓ）フィールド、検出したＴＶＢＤの活性化ＳＴＡアドレス（Ｅｎａｂｌｉｎｇ  ＳＴＡ  Ａｄｄｒｅｓｓ  ｏｆ  Ｐｏｌｉｃｅｄ  ＴＶＢＤ）フィールド、不正ＴＶＢＤアドレス（Ｉｌｌｅｇａｌ  ＴＶＢＤ  Ａｄｄｒｅｓｓ）フィールド、及びＴＶＢＤチャネル番号（Ｉｌｌｅｇａｌ  ＴＶＢＤ  Ｃｈａｎｎｅｌ  Ｎｕｍｂｅｒ）を含むことができる。
【０１３１】
命令タイプフィールドは、当該ＴＶＷＳ共存命令フレームが不正機器を非活性化させるためのフレームであることを示す。要請ＳＴＡアドレスフィールドは、ＴＶＷＳ共存命令フレームを転送するＣＭのアドレスを示す。応答ＳＴＡアドレスフィールドは、ＴＶＷＳ共存命令フレームを受信するＣＥ、すなわち、不正機器の活性化ＳＴＡのアドレスを示す。実際測定開始時刻フィールドは、不正機器を検出するためにチャネル測定を行った期間の実際開始時刻を示す。測定期間フィールドは、不正機器を検出するためにチャネル測定を行った期間を示す。
【０１３２】
検出したＴＶＢＤアドレスフィールドは、不正機器を検出したＴＶＢＤのアドレスを示す。検出したＴＶＢＤの活性化ＳＴＡアドレスフィールドは、不正機器を検出したＴＶＢＤの活性化ＳＴＡを示す。不正ＴＶＢＤアドレスフィールドは、規約によって使用が許諾されていないＴＶＷＳスペクトラムを使用している不正機器のアドレスを示す。不正ＴＶＢＤチャネル番号フィールドは、不正機器が不正に使用しているＴＶＷＳスペクトラムのチャネル番号を示す。
【０１３３】
ＴＶＷＳ共存命令フレームを受信した活性化ＳＴＡは、命令タイプフィールドを確認することで、ＴＶＷＳ共存命令フレームが不正機器を非活性化させるためのものであることを確認した場合は、不正ＴＶＢＤアドレスフィールドを確認して、当該不正機器に非活性化フレームを転送することができる。非活性化フレームを受信した不正機器は、該当のチャネルでの転送を中断し、非活性化状態に切り替わることができる。
【０１３４】
図１６は、ＳＴＡまたはＡＰに適用可能であり、本発明を実行できる機器の構成を示すブロック図である。図１６に示すように、機器１００は、プロセッサ１０１、メモリー１０２、ＲＦ（Ｒａｄｉｏ  Ｆｒｅｑｕｅｎｃｙ）ユニット１０３、ディスプレイユニット１０４、及びユーザーインターフェースユニット１０５を備える。
【０１３５】
物理インターフェースプロトコル層は、プロセッサ１０１で実行される。プロセッサ１０１は、制御プレーン（ｐｌａｎｅ）とユーザープレーンを提供する。プロセッサ１０１で各層の機能を実行することができる。
【０１３６】
メモリー１０２は、プロセッサ１０１と電気的に接続しており、オペレーティングシステム（ｏｐｅｒａｔｉｎｇ  ｓｙｓｔｅｍ）、応用プログラム（ａｐｐｌｉｃａｔｉｏｎ）及び一般ファイルを格納している。
【０１３７】
機器１００がユーザー機器であれば、ディスプレイユニット１０４は様々な情報を表示することができ、公知のＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）などを用いることができる。ユーザーインターフェースユニット１０５は、キーバッド、タッチスクリーンなどの公知のユーザーインターフェースと結合して構成することができる。
【０１３８】
ＲＦユニット１０３は、プロセッサ１０１と電気的に接続しており、無線信号を送信したり受信する。ＲＦユニット１０３は、転送モジュールと受信モジュールを備えることができる。
【０１３９】
転送モジュールは、プロセッサ１０１からスケジューリングされて外部に転送される信号及び／またはデータについて所定の符号化（ｃｏｄｉｎｇ）及び変調（ｍｏｄｕｌａｔｉｏｎ）を行ってからアンテナに伝達することができる。依存的ＡＰの転送器は、ＤＳＥ登録された位置要素及び活性化ＳＴＡのＭＡＣアドレスを含むＤＳＥリンク識別子要素を依存的ＳＴＡに転送し、依存的ＳＴＡの転送器は、ＤＳＥ活性化要請フレームを活性化ＳＴＡに転送する。
【０１４０】
受信モジュールは、外部からアンテナを介して受信した無線信号に復号（ｄｅｃｏｄｉｎｇ）及び復調（ｄｅｍｏｄｕｌａｔｉｏｎ）を行って原本データの形態に復元し、プロセッサ１０１に伝達することができる。
【０１４１】
以上開示された本発明の好ましい実施例についての詳細な説明は、当業者が本発明を具現して実施できるように提供された。以上では本発明の好適な実施例を参照して説明したが、当該技術の分野における熟練した当業者には、本発明の領域から逸脱しない範囲内で本発明を様々に修正及び変更できるということが理解されるであろう。例えば、当業者は、上記の実施例に記載された各構成を互いに組み合わせる方式で用いることができる。したがって、本発明は、ここに開示されている実施形態に制限されるものではなく、ここに開示されている原理及び新規な特徴と一致する最も広い範囲を与えるためのものである。
【産業上の利用可能性】
【０１４２】
上述した本発明の様々な実施の形態は、ＩＥＥＥ ８０２．１１システムを中心に説明したが、非免許機器が可用チャネル情報を獲得して動作できる様々な移動通信システムに同一の方式で適用することができる。
【図１】
0005894163.tif 000002
【図２】
0005894163.tif 000003
【図３】
0005894163.tif 000004
【図４】
0005894163.tif 000005
【図５】
0005894163.tif 000006
【図６】
0005894163.tif 000007
【図７】
0005894163.tif 000008
【図８】
0005894163.tif 000009
【図９】
0005894163.tif 000010
【図１０】
0005894163.tif 000011
【図１１】
0005894163.tif 000012
【図１２】
0005894163.tif 000013
【図１３】
0005894163.tif 000014
【図１４】
0005894163.tif 000015
【図１５】
0005894163.tif 000016
【図１６】
0005894163.tif 000017